(57)【要約】【課題】観察光による弊害を排除した測定容易な眼科測定装置及び位置合わせ方法を提供する。【解決手段】測定部２と被検眼１との位置合わせは、検者が測定部２を被検眼１に位置合わせする間、観察光を投射する第１段階と、第１段階後に、第１段階よりも光量を少なく観察光を投射しつつ投射光光学系４から投射光を投射して受光光学系６で受光した散乱光によって位置合わせの良否を判断する第２段階と、に分けて行われる。【選択図】  図１
2005102938.tif 000002
【特許請求の範囲】
【請求項１】
被検眼内に光を投射して散乱光を受光することにより被検眼内の生体特性を測定すると共に、投射光学系と受光光学系と観察光投射手段とを有する測定部を備える眼科測定装置であって、
前記投射光学系は、投射光光源から被検眼内へ被検眼の眼球光軸に対して斜めに投射光を投射し、
前記受光光学系は、前記投射光学系の投射光が被検眼内の測定対象部分で散乱した散乱光を受光し、
前記観察光投射手段は、測定前における測定部と被検眼との位置合わせ時に観察光を被検眼に対して投射し、
前記測定部と被検眼との位置合わせは、
検者が前記測定部を被検眼に位置合わせする間、観察光を投射する第１段階と、
該第１段階後に、前記第１段階よりも光量を少なく観察光を投射しつつ前記投射光光学系から投射光を投射して前記受光光学系で受光した散乱光によって位置合わせの良否を判断する第２段階と、
に分けて行われることを特徴とする眼科測定装置。
【請求項２】
前記第２段階にて位置合わせが良と判断した場合に、観察光の被検眼への投射を止め、測定を開始することを特徴とする請求項１に記載の眼科測定装置。
【請求項３】
投射光と観察光は、それぞれの波長が異なることを特徴とする請求項１又は２に記載の眼科測定装置。
【請求項４】
前記測定部は被検眼に対して左右遠近に移動可能な架台上に配置され、前記架台の移動が単位時間当たり所定量以上となる場合に、前記第１段階の状態へと遷移することを特徴とする請求項１〜３のいずれか１項に記載の眼科測定装置。
【請求項５】
前記測定部は被検眼に対して左右遠近に移動可能な架台上に配置され、前記架台が所定領域へ移動する場合又は前記架台が所定の境界を越えて移動する場合に、前記第１段階の状態へと遷移することを特徴とする請求項１〜４のいずれか１項に記載の眼科測定装置。
【請求項６】
前記第２段階での位置合わせの良否の判断は、散乱光が測定対象部分を走査する直前直後の光量を検出し、直前時と直後時との光量の均一性を演算して、均一性の良否の結果により行うことを特徴とする請求項１〜５のいずれか１項に記載の眼科測定装置。
【請求項７】
被検眼内に光を投射して散乱光を受光することにより被検眼内の生体特性を測定すると共に、投射光学系と受光光学系と観察光投射手段とを有する測定部を備える眼科測定装置であって、前記投射光学系は、投射光光源から被検眼内へ被検眼の眼球光軸に対して斜めに投射光を投射し、前記受光光学系は、前記投射光学系の投射光が被検眼内の測定対象部分で散乱した散乱光を受光し、前記観察光投射手段は、測定前における測定部と被検眼との位置合わせ時に観察光を被検眼に対して投射する眼科測定装置の前記測定部と被検眼との位置合わせ方法であって、
第１段階では、検者が前記測定部を被検眼に位置合わせする間、観察光を投射し、
第２段階では、前記第１段階後に、前記第１段階よりも光量を少なく観察光を投射しつつ前記投射光学系から投射光を投射して前記受光光学系で受光した散乱光によって位置合わせの良否を判断することを特徴とする位置合わせ方法。
【請求項８】
前記第２段階での位置合わせの良否の判断は、散乱光が測定対象部分を走査する直前直後の光量を検出し、直前時と直後時との光量の均一性を演算して、均一性の良否の結果に
より行うことを特徴とする請求項７に記載の位置合わせ方法。
【発明の詳細な説明】
【技術分野】
【０００１】
本発明は、被検眼内に光を投射し、この投射した光による被検眼内の測定対象部分の散乱光を受光することにより、例えば前房内の浮遊する細胞数や蛋白質濃度等の生体特性を測定する眼科測定装置及び位置合わせ方法に関するものである。
【背景技術】
【０００２】
眼科測定装置として、フレアメータやフレアセルメータが知られている。これらの眼科測定装置は、被検眼の前房内に浮遊している細胞数や蛋白質濃度（フレア濃度）を測定するものである。
【０００３】
眼科測定装置は、被検眼の眼球光軸に対して斜め方向から被検眼内に光を投射させ、投射した光とは眼球光軸の反対側で斜め方向から散乱光を受光する方式を採用している（特許文献１〜４参照）。
【０００４】
これらの眼科測定装置では、散乱光を好適に測定するため、実際に散乱光を測定する測定前に、測定を行う眼科測定装置の測定部と測定される被検眼との位置合わせ（アライメント）を行っている。
【０００５】
アライメントとしては、観察光として上下に細長いスリット光（可視光）を用いて被検眼に対する測定部の位置を調節するものや、ＣＣＤにて虚像を撮像して表示モニタ上に表示された像を用いて被検眼に対する測定部の位置を調節する等の方法が行われている。
【０００６】
ここで、スリット光を用いたアライメントでは、スリット光（観察光）の光量は、被検眼の前眼部を見易いように検者によって任意に手動で調整できるものである。また、表示モニタ上の像を用いたアライメントでも、位置の合致を正確に確認するためには可視光による観察が必要であり、観察光の光量を一定以上必要としている。すなわち、いずれの方法のアライメントを行う場合にも、観察光が必要不可欠である。
【特許文献１】特開平３−２６４０４４号公報
【特許文献２】特開平６−２１７９３９号公報
【特許文献３】特開平７−１７８０５２号公報
【特許文献４】特開平９−８４７６３号公報
【発明の開示】
【発明が解決しようとする課題】
【０００７】
従来のアライメント時に必要不可欠な観察光は、被検眼の前眼部に投射される。このため、光量を一定量以上に大きくした観察光による散乱光、反射光等を受光光学系で受光してしまうと、測定前のアライメントの良否を判断するための仮測定において測定される測定値やバックグラウンド値（ＢＧ）を増加させてしまう。
【０００８】
そして、被検眼の状態によっては仮測定でＢＧが高すぎ、アライメント不十分を理由とするエラーと判断されてしまう。こうなると眼科測定装置はアライメントモードから測定モードへモードが切り替わらず、測定不能となる。特に白内障の患者の被検眼では仮測定でＢＧが高くなり易く、測定不能となり易い。
【０００９】
本発明は上記従来技術に鑑みてなされたもので、その目的とするところは、観察光による弊害を排除した測定容易な眼科測定装置及び位置合わせ方法を提供することにある。
【課題を解決するための手段】
【００１０】
本発明の眼科測定装置にあっては、被検眼内に光を投射して散乱光を受光することにより被検眼内の生体特性を測定すると共に、投射光学系と受光光学系と観察光投射手段とを有する測定部を備える眼科測定装置であって、前記投射光学系は、投射光光源から被検眼内へ被検眼の眼球光軸に対して斜めに投射光を投射し、前記受光光学系は、前記投射光学系の投射光が被検眼内の測定対象部分で散乱した散乱光を受光し、前記観察光投射手段は、測定前における測定部と被検眼との位置合わせ時に観察光を被検眼に対して投射し、前記測定部と被検眼との位置合わせは、
検者が前記測定部を被検眼に位置合わせする間、観察光を投射する第１段階と、該第１段階後に、前記第１段階よりも光量を少なく観察光を投射しつつ前記投射光光学系から投射光を投射して前記受光光学系で受光した散乱光によって位置合わせの良否を判断する第２段階と、に分けて行われることを特徴とする。
【００１１】
前記第２段階にて位置合わせが良と判断した場合に、観察光の被検眼への投射を止め、測定を開始することがよい。
【００１２】
投射光と観察光は、それぞれの波長が異なることがよい。
【００１３】
前記測定部は被検眼に対して左右遠近に移動可能な架台上に配置され、前記架台の移動が単位時間当たり所定量以上となる場合に、前記第１段階の状態へと遷移することがよい。
【００１４】
前記測定部は被検眼に対して左右遠近に移動可能な架台上に配置され、前記架台が所定領域へ移動する場合又は前記架台が所定の境界を越えて移動する場合に、前記第１段階の状態へと遷移することがよい。
【００１５】
前記第２段階での位置合わせの良否の判断は、散乱光が測定対象部分を走査する直前直後の光量を検出し、直前時と直後時との光量の均一性を演算して、均一性の良否の結果により行うことがよい。
【００１６】
本発明の位置合わせ方法にあっては、被検眼内に光を投射して散乱光を受光することにより被検眼内の生体特性を測定すると共に、投射光学系と受光光学系と観察光投射手段とを有する測定部を備える眼科測定装置であって、前記投射光学系は、投射光光源から被検眼内へ被検眼の眼球光軸に対して斜めに投射光を投射し、前記受光光学系は、前記投射光学系の投射光が被検眼内の測定対象部分で散乱した散乱光を受光し、前記観察光投射手段は、測定前における測定部と被検眼との位置合わせ時に観察光を被検眼に対して投射する眼科測定装置の前記測定部と被検眼との位置合わせ方法であって、第１段階では、検者が前記測定部を被検眼に位置合わせする間、観察光を投射し、第２段階では、前記第１段階後に、前記第１段階よりも光量を少なく観察光を投射しつつ前記投射光学系から投射光を投射して前記受光光学系で受光した散乱光によって位置合わせの良否を判断することを特徴とする。
【発明の効果】
【００１７】
本発明では、観察光による弊害を排除し、測定を容易にできる。
【発明を実施するための最良の形態】
【００１８】
以下に図面を参照して、この発明の実施の形態を例示的に詳しく説明する。
【００１９】
「全体構成」
図１は実施の形態に係るレーザフレアメータ（以下、ＬＦＭと称す）の概略構成図である。図２、図３は実施の形態に係るＬＦＭの外観図である。
【００２０】
本実施の形態では、ＬＦＭを眼科測定装置の一例として説明を進める。なお、本実施の形態のＬＦＭは、通常の被検眼前房内の浮遊する細胞（セル）数や蛋白質濃度（フレア濃度）等の生体特性を測定するだけでなく、その他に被検眼水晶体の混濁度の生体特性も測定できるものである。
【００２１】
図１において、被検者の眼球である被検眼１が示されており、被検眼１に対向してＬＦＭの測定部２が配置されている。
【００２２】
ＬＦＭの測定部２は、概略、投射光光軸３に沿った投射光学系４と、受光光軸５に沿った受光光学系６と、を備えている。
【００２３】
また、ＬＦＭの測定部２は、各種表示を１箇所で行うための１つの表示部７と、各種データ解析等を行う解析部８と、位置合わせ（アライメント）の良否を判断するアライメント判別部９と、表示部７に表示するデータを切り換える切換器１０と、を備えている。
【００２４】
本実施の形態では、図２、図３に示すように、ＬＦＭの測定部２内に内蔵された全ての構成が測定部２を載置した架台１１の移動によって移動する。架台１１上には、測定部２の他に、検者がアライメントのために操作するジョイスティック１２や不図示の各種ボタン等が配置されている。ジョイスティック１２の上部には、モードを切り替えるためや測定を実行するためのスタートボタン１３が配設されている。
【００２５】
ここで、眼球光軸Ｌ０は、被検眼１の角膜頂点から正面へ真直ぐに延びている。眼球光軸Ｌ０は、投射光光軸３及び受光光軸５の交点である測定対象部分Ｓに重ならずにずれている。
【００２６】
投射光光軸３と受光光軸５は、被検眼１内の所定位置、すなわち被検眼１の前房内にて、交わって両光軸３，５の交点を形成している。この両光軸３，５の交点位置が測定対象部分Ｓを指す。このように交わることにより、投射光学系４からの投射光が被検眼の前房内の測定対象部分Ｓで散乱した受光光軸５上の散乱光を、受光光学系６で受光することができる。
【００２７】
この投射光光軸３と受光光軸５の交点での角度は、測定対象の散乱光を好適に測定できるように、直角に設定される。言い換えると、投射光学系４の投射光光軸３に対して略直角となる方向から測定対象の散乱光を受光するように受光光学系６の受光光軸５を配置して、投射光光軸３と受光光軸５とが被検眼１内の測定対象部分Ｓを頂点に直角となっている。
【００２８】
「各構成要素の具体的な説明」
（投射光学系）
ＬＦＭの測定部２の投射光学系４について説明する。投射光学系４は、可視レーザダイオード等のレーザ光源１４から発せられた投射光としてのレーザ光が集光レンズ１５を介して投射光光軸３に沿って被検者の被検眼１の前房内に投射される。
【００２９】
集光レンズ１５は、不図示の駆動手段によって投射光光軸３と紙面との垂直方向に駆動
され、レーザ光を微細に１次元的に走査する。
【００３０】
このように、レーザ光の走査を単純な集光レンズ１５の移動だけで行うので、簡易な構成で走査を実現でき、低コスト化が図れる。また、レーザフレアセルメータとして前房内の浮遊する細胞（セル）数を測定するためにレーザ光を複数方向に走査する場合にも、移動可能な他の集光レンズを追加するだけで良く、装置の改良も簡易である。
【００３１】
加えて、投射光学系４には、観察光を発光する観察光光源１６と、観察光をスリット光に規定するスリット１７と、測定時等に観察光を遮断するためのシャッター１８と、観察光の光路を投射光光軸３に一致させるハーフミラー１９と、が配置されている。上記の観察光光源１６、スリット１７及びハーフミラー１９が観察光投射手段を構成している。
【００３２】
観察光光源１６が発光し、観察光が投射されると、観察光はスリット１７で規定された直進成分（スリット光）だけが投射光学系４に進む。そして、投射光光軸３上のハーフミラー１９で観察光が被検眼に向かう投射光光軸３に一致するように反射され、観察光が被検眼１に導かれる。
【００３３】
これにより、観察光で被検眼１の測定部分外観を明るく示すことができる。そして、検者は、観察光で示された被検眼１の測定部分外観を見ながら、アライメントを行うことができる。
【００３４】
また、シャッター１８が閉じられることによって、観察光がハーフミラー１９まで進むことが妨げられ、測定時等に観察光が被検眼１内へ投射されることを防止する。
【００３５】
なお、レーザ光源１４と観察光光源１６のそれぞれの光は、検者がどちらを示すか認識し易いように異なる波長となっている。
【００３６】
（受光光学系）
次に、受光光学系６について説明する。受光光学系６は、レーザ光源１４からのレーザ光による被検眼１内の測定対象部分Ｓにおける散乱光を受光光軸５に沿ってレンズ２０、遮光部材としての受光マスク２１を介して受光素子である光電子増倍管等の光電検出器２２で検出する。
【００３７】
レンズ２０は、受光光軸５に対してレンズ２０の光軸を傾けた球面レンズである。レンズ２０は、大きな収差を発生させている角膜を透過した散乱光の像を結像させた際に発生する大きな非点収差を除去するために用いられる。これにより、容易に収差を除去することができ、測定精度を向上することができる。
【００３８】
受光マスク２１は、受光光軸Ｌ２方向の視野を限定し、測定範囲を規定するために用いられる。受光マスク２１は、光電検出器２２までの受光光軸５に沿った受光光路中に設けられて測定対象部分Ｓと光学的に共役な位置に所定の大きさの開口を有する。そして、受光マスク２１は、開口を透過する散乱光のみを光電検出器２２に導く。
【００３９】
光電検出器２２は、受光マスク２１で限定された散乱光のみを受光し、受光した光強度を電気信号に変換して出力信号として出力する。
【００４０】
なお、被検眼１内の散乱光は、例えば被検眼１の前房内に存在する蛋白質からの散乱光であったり、前房内の浮遊する細胞（セル）からの散乱光であったり、被検眼１の水晶体からの散乱光であったりする。
【００４１】
また、受光光学系６では、レンズ２０と受光マスク２１の間に、非測定時に散乱光を遮断するためのシャッター２３が配置されている。シャッター２３が閉じられることによって、非測定時に光電検出器２２に散乱光や外部の外乱光が受光されることを防止する。
【００４２】
そして、受光光学系６において散乱光を受光した光電検出器２２からの出力信号は、解析部８に供給される。解析部８では、散乱光の出力信号から蛋白質濃度等の生体特性が計算され、その計算に基づき表示部７に測定結果が表示される。
【００４３】
例えば、生体特性の計算としては、光子計数法を用いてデジタル化した出力信号を解析部８で解析したりする。この光子計数法の場合、受光強度はフォトカウント値を用いる。レーザ光の走査によって得られる各フォトカウント値は、解析部８内のメモリに時系列的に格納される。
【００４４】
加えて、受光光学系６には、光路を分岐するハーフミラー２４と、ハーフミラー２４で分岐された光路上の第２撮像手段としてのＣＣＤカメラ２５と、ＣＣＤカメラ２５の前方に設けられたレンズ２６と、が配置されている。
【００４５】
ハーフミラー２４は受光光軸５上から観察光の散乱光や反射光等を分岐させ、ハーフミラー２４で分岐した光をレンズ２６で集光し、その集光した像をＣＣＤカメラ２５で受光する。
【００４６】
これにより、ＣＣＤカメラ２５で受光光学系６からの観察光によって示された被検眼１の測定部分外観を撮影できる。そして、ＣＣＤカメラ２５の出力を表示部７に表示させることで、検者は、被検眼１の測定部分外観の様子を表示部７に拡大表示して観察することができる。
【００４７】
（表示部）
表示部７は、（１）測定時の解析部８からの測定結果、（２）アライメント時のＣＣＤカメラ２５からの被検眼１の測定部分外観の様子が表示されるものである。つまり、（１），（２）の２つの表示が切り換えられて表示されるものである。その表示の切り換えは解析部８の制御によって切換器１０により切り換えられる。
【００４８】
表示部７は１つだけ設けられており、上記のように表示を切り換えるので、検者はこの表示部７の画面を常に観察するだけでよく、検者がアライメント時と測定時とで異なる部分に視点を動かす必要がなく、検者にとっての操作性を向上している。
【００４９】
（解析部）
解析部８は、情報解析や操作制御を行う部分である。つまり、予め記憶したプログラムに従いハードウエア構成を用いて解析作業や操作作業等の処理を実行する。ハードウエア構成としては、例えば一般的なコンピュータ構成を採用することができる。
【００５０】
解析部８は、一方で出力信号の解析等を行い、他方で検者の入力に応じて切換器１０を制御して表示部７に表示する表示対象の切り換えを行うと共に検者のジョイスティック等の入力動作に応じて駆動モータを駆動する。
【００５１】
（アライメント判別部）
アライメント判別部９は、アライメントの良否を判断する部分である。解析部８と同様なコンピュータ構成であり、解析部８と一体に設けられてもよいが、本実施の形態では個別に設けられている。
【００５２】
アライメント判別部９には、
均一性値＝｛２×（ＢＧ１−ＢＧ２）×１００｝／（ＢＧ１＋ＢＧ２）
という式が格納されている。
【００５３】
そして、アライメント時のアライメントの良否を判断するための仮測定でＢＧ１（測定走査幅の直前のバックグラウンド値）とＢＧ２（測定走査幅の直後のバックグラウンド値）を測定した場合に、上記式にＢＧ１，ＢＧ２の測定結果を代入して演算を行う。
【００５４】
演算結果において、均一性値が±１５％以下であると、アライメントの第２段階が完全に完了したと判断し、自動的に測定の実行を行う。また、均一性値が±１５％よりも大きく±２０％以下であると、アライメントの第２段階がほぼ完了したと判断し、検者のスタートボタン１３の押下によって測定の実行を開始できるようになっている。
【００５５】
「測定動作」
次にＬＦＭを用いた測定動作について説明する。測定は、測定開始前のアライメントと、実際の測定の実行と、に分かれる。測定動作の概略は図４に示すフローチャートとなる。
【００５６】
「アライメント」
ＬＦＭの測定部と被検眼１との位置を合わせるアライメントを行う場合について説明する。本実施の形態では、アライメントは、検者がジョイスティックを用いて手動でアライメントするアライメントの第１段階（Ｓ１）と、手動で行われたアライメントの良否を判断するアライメントの第２段階（Ｓ２）と、に分けて行われる。
【００５７】
（アライメントの第１段階）
先に行われるアライメントの第１段階について述べる。第１段階は、図４のＳ１であり、検者がジョイスティックを用いて手動でＬＦＭの測定部２を移動させ、測定部２を被検眼１に対して位置合わせする。
【００５８】
ＬＦＭの測定部２は、測定部２の載置された架台１１ごと全てがジョイスティック１２の操作で移動する。ジョイスティック１２を傾けることで、測定部２は左右遠近に移動し、ジョイスティック１２を回すことで、測定部２は上下に移動する。
【００５９】
第１段階では、検者が被検眼１の前眼部を肉眼で見ながら、スリット光となった観察光を被検眼１の瞳孔中心付近に合わせ、アライメントを行う。このため、言い換えると、ＬＦＭは、第１段階では、検者が測定部２を被検眼１に位置合わせする間、観察光を投射する。
【００６０】
ここでの観察光は、所定光量が投射されているが、検者の要望に合わせて手動で増減することができる。なお、第１段階ではレーザ光源１４からレーザ光は投射されない。
【００６１】
（アライメントの第２段階）
観察光が被検眼１の瞳孔中心付近に合い、アライメントの第１段階が完了となると、次に図４のＳ２であるアライメントの第２段階を行う。
【００６２】
第１段階から第２段階への遷移は、検者が第１段階のアライメントが完了したと判断してジョイスティック１２のスタートボタン１３を押下することで行われる。
【００６３】
なお、第２段階は、第１段階での架台の移動量が単位時間当たりに所定量よりも少なくなった場合に、測定部が被検眼に対して位置が合ってきたと判断し、自動的に第１段階か
ら第２段階へ遷移するように設けてもよい。また、第２段階は、表示部７の画像が第１段階開始時では図５（ａ）の黒１色であったものが、測定部２が被検眼１に対して位置が合ってくると、図５（ｂ）のように観察光の角膜反射、水晶体反射が映るので、表示部７に出力されるＣＣＤカメラ２５の出力信号の変化を検知し、自動的に第１段階から第２段階へ遷移するように設けてもよい。
【００６４】
第２段階では、測定前のアライメントの良否を判断するために、投射光を投射し、かつ、受光光学系６のシャッター２３を開き、光電検出器２２で受光を行えるようにして、被検眼１の前眼部を１次元高速走査する（仮測定）。
【００６５】
ここで、この第２段階では、観察光は第１段階よりも少ない光量に調整不能に画一的に設定される。
【００６６】
そして、１次元高速走査を行う仮測定で、ＢＧ１，ＢＧ２を求める。ＢＧ１は測定走査幅の直前のバックグラウンド値であり、ＢＧ２は測定走査幅の直後のバックグラウンド値である。
【００６７】
ＢＧ１，ＢＧ２が仮測定の結果として求まったら、ＢＧ１，ＢＧ２の値を、［均一性値］＝｛２×（ＢＧ１−ＢＧ２）×１００｝／（ＢＧ１＋ＢＧ２）という式に代入して演算を行う。均一性値の式はアライメント判別部９に格納されているので、ＢＧ１，ＢＧ２の値を解析部８からアライメント判別部９に伝達することで、アライメント判別部９で演算が行われる。
【００６８】
この演算結果で、第２段階が終わりアライメント完了となったかどうかを判断する（Ｓ３）。判断はアライメント判別部９で行う。均一性値が±１５％以下という演算結果であると、アライメントの第２段階が完全に完了したと判断し、解析部８に測定実行の指示が行き、自動的に測定の実行を行う。また、均一性値が±１５％より大きく±２０％以下という演算結果であると、アライメントの第２段階がほぼ完了したと判断し、解析部８に測定実行はスタートボタン１３が押下された場合に行うという指示が行き、検者のスタートボタン１３の押下によって測定の実行を開始できるようになっている。
【００６９】
加えて、第２段階では、表示部７に表示されたＣＣＤカメラ２５からの被検眼１の測定部分外観の様子を観察しながら、微小なアライメントを行う。
【００７０】
このように、第２段階では、投射する観察光の光量を第１段階よりも少なくしているので、アライメントの判断を行うための仮測定の時に観察光の光量でＢＧが増加してしまうことがなく、アライメントモードから測定モードへ容易にモード切り替えができる。また、仮測定時に観察光が不要な外乱光となることも低減できる。さらに、仮測定時に被検眼１の周辺が暗くなり、被検眼１の瞳孔径がより大きな状態となるため、測定点の候補領域をより広く確保することができる。
【００７１】
「測定の実行」
以上の操作によってアライメントが完了した後はＳ４において実際に測定を開始する。
【００７２】
（本測定）
アライメントの第２段階が完了した場合、すなわち、アライメントモードから測定モードへモードを切り替えた場合には、投射光学系４のレーザ光源１４からレーザ光を照射開始して、測定を実行開始する。
【００７３】
ここで、本測定では、言い換えるとアライメントの第２段階が終了した時点では、観察
光は投射光学系４の手前のシャッター１８が閉じ、投射光学系４へ進むことが妨げられている。または、観察光光源１６を消灯して同様に観察光を消滅させることでもよい。
【００７４】
レーザ光の照射開始点は、集光レンズ１５の走査による被検眼１の測定走査幅を超えた上方の位置（直前位置）に設定されており、照射終点は、集光レンズ１５の走査による被検眼１の測定走査幅を超えた下方の位置（直後位置）に設定されている。このため、集光レンズ１５が微細に１次元低速走査を行うことで、レーザ光は被検眼１の上方から下方に測定走査幅をまたいで走査が行われる。
【００７５】
よって、受光光学系６では、照射されたレーザ光の被検眼１内の散乱光を、測定走査幅をまたいだレーザ光の照射開始位置（被検眼上方）から照射終了位置（被検眼下方）までの範囲で検出する。この測定走査幅以外の部分がＢＧとなる。
【００７６】
（散乱光の強度）
光電検出器２２で検出される散乱光の強度は、図６に示す表図のようになる。ここで、この図６の表図では、シャッター２３が開いた状態で、レーザ光が照射開始された時Ｔ１、測定開始時Ｔ２、測定終了時Ｔ３、レーザ光が照射完了した時Ｔ４までの時系列に散乱光の強度が示されている。
【００７７】
図６において、領域Ａ，Ｃはレーザ光の照射もあるが未だ測定対象部分での走査を行っていない、測定対象部分の上下部分の外乱光による光強度（ＢＧ１，ＢＧ２）である。領域Ａが測定走査幅の直前のバックグラウンド値ＢＧ１である。領域Ｃが測定走査幅の直後のバックグラウンド値ＢＧ２である。
【００７８】
領域Ｂは実際に測定対象部分をレーザ光が走査している測定中（測定走査幅）の光強度である。領域Ｂ中において、高さＨが被検眼の前房内の蛋白質濃度であるフレア量（フレア）Ｈを示している。また、所々突き出して高くなる値が被検眼１の前房内に浮遊する細胞（セル）Ｐ１，Ｐ２を示す。
【００７９】
（測定結果表示）
測定が完了すると、光電検出器２２の出力信号は解析部８で解析され、測定結果が表示部７に表示画面として表示される。この表示部７の表示は解析部８が切換器１０を制御してＣＣＤカメラ２５の画像表示から解析部８内のデータ表示に表示を切り換えることで表示される。
【００８０】
（測定終了後の復帰）
また、測定が完了すると、眼科測定装置は、測定モードからアライメントモードへモードが切り替えられ、図４に示すようにアライメントの第２段階の状態に戻る。これにより、同一被検眼で連続して測定を繰り返すことができる。
【００８１】
そして、測定を全く実行しない場合には、アライメントの第２段階において、架台１１の移動が単位時間当たり所定量以上となるように移動し、アライメントの整合を崩したと判断して、アライメントの第１段階の状態へと遷移する。
【００８２】
または、架台１１が所定領域へ移動する場合又は架台１１が所定の境界を越えて移動する場合に、アライメントの整合を崩したと判断して、アライメントの第１段階の状態へと遷移することとしてもよい。さらには、架台１１を移動させることで、第２段階での仮測定で計測するＢＧ１，ＢＧ２を用いた均一性値が所定よりも大きくし（２０％超）、アライメント判別部９にアライメント不良であると判断させて第１段階の状態へ遷移するようにしてもよい。
【００８３】
このようにして、測定モードからアライメントの第１段階まで遷移されることにより、眼科測定装置は、非測定時に第１段階で待機することができる。
【図面の簡単な説明】
【００８４】
【図１】実施の形態に係るＬＦＭの測定部の概略構成を示す図である。
【図２】実施の形態に係るＬＦＭの測定部の外観を示す斜視図である。
【図３】実施の形態に係るＬＦＭの測定部の外観を示す側面図である。
【図４】実施の形態に係るＬＦＭの測定動作を示すフローチャートである。
【図５】実施の形態に係るＬＦＭのＣＣＤカメラから見える被検眼の様子を示す図である。
【図６】実施の形態に係るＬＦＭの測定結果を示す表図である。
【符号の説明】
【００８５】
１  被検眼
２  測定部
３  投射光光軸
４  投射光学系
５  受光光軸
６  受光光学系
７  表示部
８  解析部
９  アライメント判別部
１０  切換器
１１  架台
１２  ジョイスティック
１３  スタートボタン
１４  レーザ光源
１５  集光レンズ
１６  観察光光源
１７  スリット
１８  シャッター
１９  ハーフミラー
２０  レンズ
２１  受光マスク
２２  光電検出器
２３  シャッター
２４  ハーフミラー
２５  ＣＣＤカメラ
２６  レンズ
【図１】
2005102938.tif 000003
【図２】
2005102938.tif 000004
【図３】
2005102938.tif 000005
【図４】
2005102938.tif 000006
【図５】
2005102938.tif 000007
【図６】
2005102938.tif 000008